(57)【要約】【課題】内筒と外筒からなるゴミ箱において、内筒に収容したゴミ袋を外筒により確実に押止することができ、かつ収納するゴミの種類が容易に分別できるゴミ箱を提供することである。また、デザイン性に優れ、スタッキング性、安定性等にも優れたゴミ箱を提供することである。【解決手段】ゴミ袋６を内部に収容するための内筒３と、内筒３の外側に嵌挿し、前記内筒３に収容したゴミ袋６の上端折り返し部６ａを押止する外筒２から構成され、外筒２にゴミ分別表示用の窓孔４が形成されている。窓孔４に対応する内筒３の外側面部３ｃにはゴミ分別表示５が施されている。内筒３と外筒２は、下方に向かって拡口する錐体形となっている。【選択図】図１
0003123762.tif 000002
【実用新案登録請求の範囲】
【請求項１】
ゴミ袋を内部に収容するための内筒と、
前記内筒の外側に嵌挿し、前記内筒に収容したゴミ袋の上端折り返し部を押止する外筒から構成され、
前記外筒にゴミ分別表示用の窓孔を形成したことを特徴とするゴミ箱。
【請求項２】
ゴミ袋を内部に収容するための内筒と、
前記内筒の外側に嵌挿し、前記内筒に収容したゴミ袋の上端折り返し部を押止する外筒から構成され、
これら内筒と外筒は、下方に向かって拡口する錐体形であることを特徴とするゴミ箱。
【請求項３】
前記外筒にゴミ分別表示用の窓孔を形成したことを特徴とする請求項２に記載のゴミ箱。
【請求項４】
前記外筒は、前記内筒の外側面全体を覆う大きさであることを特徴とする請求項１〜３のいずれかに記載のゴミ箱。
【請求項５】
前記内筒と外筒は、頂面部と底面部が開口した中空筒であることを特徴とする請求項１〜４のいずれかに記載のゴミ箱。
【請求項６】
前記内筒は有底筒であることを特徴とする請求項１〜４のいずれかに記載のゴミ箱。
【請求項７】
前記内筒と前記外筒は、円錐体形であることを特徴とする請求項１〜６のいずれかに記載のゴミ箱。
【請求項８】
前記ゴミ分別表示用の窓孔は、外筒の下端部を切り欠いて形成されており、該窓孔に対応する前記内筒の外側面部にゴミ分別表示が施されていることを特徴とする請求項１又は請求項３〜７のいずれかに記載のゴミ箱。
【請求項９】
前記ゴミ分別表示は、前記内筒外側面部にシールを貼着したものであることを特徴とする請求項８に記載のゴミ箱。
【請求項１０】
前記外筒は前記内筒に対して同軸方向に回転可能に嵌挿されていることを特徴とする請求項１〜９のいずれかに記載のゴミ箱。
【請求項１１】
前記外筒の上端部に、前記内筒上端部との係止部を形成したことを特徴とする請求項１〜１０のいずれかに記載のゴミ箱。
【請求項１２】
前記外筒が不透明色であることを特徴とする請求項１〜１１のいずれかに記載のゴミ箱。
【請求項１３】
前記ゴミ分別表示が、前記内筒外側面部の周面方向に複数種施されていることを特徴とする請求項８〜１２のいずれかに記載のゴミ箱。
【考案の詳細な説明】
【技術分野】
【０００１】
本考案は、ゴミ袋を内部に収容し、ゴミ袋の中に溜まったゴミをゴミ袋ごと取り出して廃棄するようにしたゴミ箱に関するものである。
【背景技術】
【０００２】
ゴミ箱の内部に、市販のプラスチック製ゴミ袋や小売店等から供与される手提げ袋等をゴミ袋として収容し、ゴミ袋の中にゴミを収納した後、ゴミ袋ごと廃棄することが日常的に行われている。これはゴミ箱の汚れを防ぐ意図であり、このような使用目的に供されるゴミ箱も従来からいくつか提案されている。
【０００３】
たとえば、直円筒状の有底内筒体の上端縁部に切込部を形成し、内筒体の内部に収容したゴミ袋の上端折り返し部を切込部に止着するとともに、内筒体の外側に円錐状の外筒体を被せるようにしたものが知られている（特許文献１）。しかしながら、このようなゴミ箱は、内筒体の切込部に止着したゴミ袋の取り外しが面倒であること、内筒体が直円筒状であるのに対し外筒体が円錐状であるため、全体のデザイン性がアンバランスであるばかりか、内筒体上端部と外筒体内面との接触面積が少ないためゴミ袋の上端折り返し部の押止力が弱く、ゴミ袋の上端折り返し部が前記切込部に止着されていたとしても、ゴミの重量がかさむと切込部からゴミ袋が外れて内筒体の下方に引き込まれる可能性があること、等の不都合がある。
【０００４】
また、ゴミ袋の内側に、中空筒状の内側容器を挿入し、その内側容器をさらに外側容器に挿入することにより、内側容器内に多量のゴミを圧縮収納してもゴミ袋が破損しないようにしたものも知られている（特許文献２）。しかしながら、このようなゴミ箱は、内側容器内にゴミが直接触れるため、生ゴミ等を投入した場合は内側容器の内面が汚れることになり、その内側容器を頻繁に洗浄する必要がある等の不都合がある。
【０００５】
【特許文献１】実開昭５８−１７３６０５号公報
【特許文献２】特開２００２−１２３０３号公報
【考案の開示】
【考案が解決しようとする課題】
【０００６】
本考案の解決課題は、内筒と外筒からなるゴミ箱において、内筒の内部に収容したゴミ袋を外筒により確実に押止できるようにし、またゴミ箱の汚れを防ぐとともに、収納するゴミの種類が容易に分別できるゴミ箱を提供することである。
また本考案の解決課題は、デザイン性に優れ、スタッキング性、安定性等にも優れたゴミ箱を提供することである。
さらに本考案の解決課題は、簡単な構成で安価に製造することができるゴミ箱を提供することである。
【課題を解決するための手段】
【０００７】
上記課題を解決するために、本考案における請求項１の考案にあっては、ゴミ袋を内部に収容するための内筒と、
前記内筒の外側に嵌挿し、前記内筒に収容したゴミ袋の上端折り返し部を押止する外筒から構成され、
前記外筒にゴミ分別表示用の窓孔を形成したことを特徴とする。
【０００８】
本発明においてゴミ袋とは、市販されているポリエチレン等のプラスチック製のゴミ袋、小売店等から提供されるプラスチック製や紙製の手提げ袋、包装袋等が含まれる。
【０００９】
請求項１の考案においては、内筒と外筒の形状は特に限定されるものではなく、また内筒は有底筒と中空筒の両方を含んでいる。またゴミ分別表示用の窓孔も任意であり、たとえばゴミ分別表示プレートを窓孔に差し込むような構成としてもよい。内筒と外筒の材質は、ポリプロピレン、ポリエチレン、ポリカーボネイト等のプラスチック材、木材、金属材等を使用することができる。
【００１０】
また請求項２の考案にあっては、ゴミ袋を内部に収容するための内筒と、
前記内筒の外側に嵌挿し、前記内筒に収容したゴミ袋の上端折り返し部を押止する外筒から構成され、
これら内筒と外筒は、下方に向かって拡口する錐体形であることを特徴とする。
【００１１】
請求項２の考案において、内筒と外筒の材質は請求項１の考案と同じであり、内筒は有底筒と中空筒の両方を含んでいる。内筒と外筒の形状を、下方に向かって拡口する錐体形とすることにより、スタッキング性、安定性等が良好となり、全体的に簡素なデザインとなる。ここでは、錐体形には円錐体、角錐体等が含まれる。錐体形の傾斜度は、全体のデザイン性や収納するゴミの種類等により任意に選定される。
【００１２】
また請求項３の考案にあっては、前記請求項２の考案において、前記外筒にゴミ分別表示用の窓孔を形成したことを特徴とする。ここでの窓孔の形状も特に限定されない。これにより、ゴミ箱内に収納するゴミの分別が確認できる。
【００１３】
また請求項４の考案にあっては、請求項１〜３の考案において、前記外筒は、前記内筒の外側面全体を覆う大きさであることを特徴とする。このようにすると、内筒が外筒により覆い隠されることにより、内筒上端部に露出したゴミ袋の上端折り返し部が見えなくなり、内筒に付着した汚れ等も見えなくなる。また内筒と外筒の一体性が生じるため、デザイン的にも簡素化される。なお、外筒にゴミ分別用の窓孔を有する場合は、その窓孔までも塞ぐことを意味するものではない。
【００１４】
また請求項５の考案にあっては、請求項１〜４の考案において、前記内筒と外筒は、頂面部と底面部が開口した中空筒であることを特徴とする。このようにすると、ゴミ箱を未使用のとき、又はゴミ箱を店頭で展示するとき、内筒の下方に別の同形のゴミ箱を積み重ねることができる。
【００１５】
また請求項６の考案にあっては、請求項１〜４の考案において、前記内筒は有底筒であることを特徴とする。このようにすると、ゴミ袋の底部を内筒底面部で支持できるため、ゴミ袋内のゴミ重量が増えてもゴミ袋が破袋する心配がない。
【００１６】
また請求項７の考案にあっては、請求項１〜６の考案において、前記内筒と前記外筒は、円錐体形であることを特徴とする。このようにすると、スタッキング性、安定性が良好となる。
【００１７】
また請求項８の考案にあっては、請求項１又は請求項３〜７の考案において、前記ゴミ分別表示用の窓孔は、外筒の下端部を切り欠いて形成されており、該窓孔に対応する前記内筒の外側面部にゴミ分別表示が施されていることを特徴とする。このようにすると、窓孔の形成が簡単であり、またゴミ分別表示のプレート等が不用であり、デザイン的にも簡素化する。
【００１８】
また請求項９の考案にあっては、請求項８の考案において、前記ゴミ分別表示は、前記内筒外側面部にシールを貼着したものであることを特徴とする。このようにすると、内筒外側外面部に、直接、ゴミ分別表示をプリントし、又は刻印する方法に比べて安価であり、また任意のデザイン化されたシールを貼着することができ、外観上の体裁も良くなる。
【００１９】
また請求項１０の考案にあっては、請求項１〜９の考案において、前記外筒は前記内筒に対して同軸方向に回転可能に嵌挿されていることを特徴とする。このようにすると、外筒の窓孔に多種類のゴミ分別表示を表示することができ、また外筒表面に様々な模様、絵図、文字等を施してその変化を楽しむこともできる。
【００２０】
また請求項１１の考案にあっては、請求項１〜１０において、前記外筒の上端部に、前記内筒上端部との係止部を形成したことを特徴とする。係止部の形状は任意であり、鍔状係止部、爪状係止部等が含まれる。このようにすると、外筒を内筒に簡単な構成で係止することができ、外筒の取り付け取り外しも容易である。
【００２１】
また請求項１２の考案にあっては、請求項１〜１１の考案において、前記外筒が不透明色であることを特徴とする。このようにすると、内筒を透明又は半透明のプラスチックで成形した場合、ゴミ袋に収納したゴミを覆い隠すことできるため外観上の体裁が良い。
【００２２】
また請求項１３の考案にあっては、請求項８〜１２の考案において、前記ゴミ分別表示が、前記内筒の周面方向に複数種施されていることを特徴とする。このようにすると、ひとつのゴミ箱で、可燃物、不燃物等の複数種のゴミ分別表示をすることができ、次のごみ収集日に合わせたゴミ分別表示をしたり、複数のゴミ箱を準備して別々のゴミ分別表示をすることができる。
【考案の効果】
【００２３】
上述した本考案のゴミ箱によれば、内筒と外筒からなるゴミ箱において、内筒の内部に収容したゴミ袋を外筒により確実に押止することができ、またゴミ箱の汚れを防ぐとともに、収納するゴミの種類が容易に分別できる。
また本考案のゴミ箱によれば、内筒と外筒を所定の形状にすることによって、デザイン性に優れ、スタッキング性、安定性等にも優れたゴミ箱とすることができる。
さらに本考案のゴミ箱は、内筒と外筒だけから構成されているため、簡単な構成で安価に製造することができる。
その他、本考案のゴミ箱によれば、上記各請求項の考案で述べた多くの効果を得ることができる。
【考案を実施するための最良の形態】
【００２４】
以下、本考案の実施形態を添付図面に基づいて説明する。本考案のゴミ箱１は、図１乃至図３に示すように、外筒２と、この外筒２に嵌挿される内筒３から構成されている。
【００２５】
前記外筒２は、頂面部２ａと底面部２ｂが開口した中空筒であり、外側面部２ｃが下方に向かって拡口する円錐体形となっている。即ち、底面部２ｂの開口径は頂面部２ａの開口径よりも大径であり、外側面部２ｃが末広がりに傾斜した形状となっている。また、外筒２の下端部が一部切り欠かれてゴミ分別表示用の窓孔４が形成されている。さらに図３に示すように、外筒２の上端部は、内周側に突出して肉厚となった係止部２ｄが形成されている。
【００２６】
前記内筒３は、外筒２と同じように頂面部３ａと底面部３ｂが開口した中空筒であり、外側面部３ｃが下方に向かって拡口する円錐体形となっている。内筒３は、ここでは底面部３ｂが開口しているが、有底筒としてもよい。内筒３の上端部３ｄ（図３参照）は内面側にわずかに突出して肉厚になっている。また、内筒外側面部３ｃの下端部における前記外筒２の窓孔４に対応する位置にはゴミ分別表示５のシールが貼着されている。
【００２７】
このゴミ分別表示５は、可燃ごみ表示の例を示しているが、その他にも不燃ごみ表示、リサイクル表示等のシールをゴミ分別表示５の横方向（外側面部３ｃの周面方向）に所定間隔で貼付し、後述するように外筒２を回転させ、窓孔４に表われるゴミ分別表示５を用途に応じて変えるともできる。
【００２８】
内筒３の外側には外筒２が嵌挿され、図３に示すように、外筒２の上端部に形成された係止部２ｄが内筒３の上端部３ｄに係止される。このため、外筒２は内筒３に対して同軸方向に手動により回転可能となっている。
【００２９】
外筒２は、窓孔４を除き、内筒３の外側面部３ｃの全体を覆う大きさであり、窓孔４には、内筒外側面部３ｃに貼着したゴミ分別表示５が露出している。この実施態様では、内筒３は半透明プラスチックで造られ、外筒２は着色した不透明色プラスチックで造られている。
【００３０】
次に、本考案のゴミ箱１の使用例を図４により説明する。まず、図４（Ａ）に示すように、内筒３の内部にゴミ袋６を広げて収容し、ゴミ袋６の上端部を内筒上端部３ｄにおいて外側に折り返して上端折り返し部６ａとする。
【００３１】
その後、図４（Ｂ）（Ｃ）に示すように、内筒３の外側に外筒２を嵌挿すると、外筒係止部２ｄがゴミ袋上端折り返し部６ａを押止した状態で内筒上端部３ｄに係止され、また、内筒上端部３ｄの外側にはみ出たゴミ袋上端折り返し部６ａが、図３に詳示するように、内筒３の外側面部３ｃと外筒２の内面部の間で押止される。なお、外筒２を嵌挿する際又は嵌挿した後、外筒２を回転させて窓孔４を内筒３のゴミ分別表示５の位置に合わせ、窓孔４からゴミ分別表示５を露出させる。
【００３２】
ゴミ袋６の中のゴミを捨てるときは、外筒２を内筒３から引き外し、ゴミ袋６ごと内筒３から取り出して廃棄する。内筒３には上述と同じ手順で新しいゴミ袋６を収容する。ゴミ箱１として使用しないときは、外筒２と内筒３の底面部が開口しているため、たとえば、植物鉢体の外側に被せておくとインテリアとしての使用も可能である。
【００３３】
上述した実施態様は、本考案の一例を示したものであり、外筒２や内筒３の形状、窓孔４の形状、形成位置等は図示したものに限定されるものではなく、本考案の技術的範囲内で任意に変更することができる。
【図面の簡単な説明】
【００３４】
【図１】本考案のゴミ箱の組立斜視図である。
【図２】同じく全体斜視図である。
【図３】同じく縦方向断面図である。
【図４】本考案のゴミ箱の使用説明図である。
【符号の説明】
【００３５】
１はゴミ箱
２は外筒
２ａは外筒頂面部
２ｂは外筒底面部
２ｃは外筒外側面部
２ｄは外筒係止部
３は内筒
３ａは内筒頂面部
３ｂは内筒底面部
３ｃは内筒外側面部
３ｄは内筒上端部
４は窓孔
５はゴミ分別表示
６はゴミ袋
６ａはゴミ袋の上端折り返し部
【図１】
0003123762.tif 000003
【図２】
0003123762.tif 000004
【図３】
0003123762.tif 000005
【図４】
0003123762.tif 000006